(57)【要約】      （修正有）【課題】聴覚装置を備える聴覚システムに、無線音声ストリームを送信する音声システムを動作させる方法を提供する。【解決手段】音声システムは、通信ユニットと、送信機ユニットを備える無線システムを備えている。方法は、聴覚装置識別データと、音声トラックを示すリクエストを含んだ、リクエストデータを受信するステップ１０２と、リクエストデータの少なくとも一部に基づいて、無線システム構成データを決定するステップ１０４と、決定された無線システム構成データに従って、送信機ユニットによって音声ストリームを送信するステップ１０６を備えている。聴覚システムがリクエストされた音声トラックを表す音声ストリームを受信できるようにするために、音声ストリームは音声ストリームデータと、音声識別データを含んでいる。【選択図】図５
2014207660.tif 000002
【特許請求の範囲】
【請求項１】
聴覚装置を備える聴覚システムに無線音声ストリームを送信する音声システムを動作させる方法であって、
前記音声システムが、通信ユニットと、送信機ユニットを備える無線システムを備えており、
前記方法は、
聴覚装置識別データと、音声トラックを示すリクエストを備える、リクエストデータを受信するステップと、
前記リクエストデータの少なくとも一部に基づいて、無線システム構成データを決定するステップと、
前記決定された無線システム構成データに従って、前記送信機ユニットによって音声ストリームを送信するステップを備えており、
前記聴覚システムが前記リクエストされた音声トラックを表す前記音声ストリームを受信できるようにするために、前記音声ストリームが、音声ストリームデータと、音声識別データを備えている、方法。
【請求項２】
前記リクエストデータが、暗号化キーを備えており、
前記方法がさらに、前記音声ストリームを送信する前に、前記暗号化キーを用いて前記音声ストリームデータを暗号化するステップをさらに備えている、請求項１の方法。
【請求項３】
前記リクエストデータを受信する前記ステップが、前記聴覚システムの聴覚装置から前記リクエストデータを受信するステップを備える、請求項１の方法。
【請求項４】
前記リクエストデータを受信する前記ステップが、前記聴覚システムの付属装置から前記リクエストデータを受信するステップを備えており、
前記付属装置が、携帯電話、タブレットコンピュータ、スマートフォン、聴覚装置リモコンユニット、またはカードキーを備えている、請求項１の方法。
【請求項５】
前記リクエストデータを受信する前記ステップが、２．４ＧＨｚから２．５ＧＨｚまでの任意の周波数で、８００ＭＨｚから１ＧＨｚまでの任意の周波数で、および／または１３ＭＨｚから１４ＭＨｚまでの任意の周波数で、前記リクエストデータを受信するステップを備えている、請求項１の方法。
【請求項６】
前記リクエストデータを受信する前記ステップが、前記音声システムのユーザインターフェースユニットから前記リクエストデータを受信するステップを備える、請求項１の方法。
【請求項７】
前記音声識別データが、聴覚装置ＩＤ、送信機ＩＤ、送信機グループＩＤ、音声グループＩＤ、音声タイプＩＤ、および音声プロトコルＩＤのうちの１つまたはそれ以上を備えている、請求項１の方法。
【請求項８】
前記リクエストデータに基づいて、聴覚システム構成データを決定するステップと、
前記聴覚システムが前記リクエストされた音声トラックを表す前記音声ストリームを受信できるようにするために、前記聴覚システム構成データを前記聴覚システムに送信するステップをさらに備えている、請求項１の方法。
【請求項９】
聴覚装置を備える聴覚システムに無線音声ストリームを送信する音声システムであって、
少なくとも第１の音声ストリームを、前記第１の音声ストリームを示す第１の音声識別データとともに送信する第１の送信機ユニットを含む、据え置き型の送信機ユニットを備える無線システムと、
前記聴覚システムと通信するように構成された通信ユニットを備えており、
前記音声システムは、
聴覚装置識別データと、音声トラックを示すリクエストを備える、リクエストデータを受信し、
前記リクエストデータの少なくとも一部に基づいて、無線システム構成データを決定し、
前記決定された無線システム構成データに従って、音声ストリームを送信するように構成されており、
前記聴覚システムが前記リクエストされた音声トラックを表す前記音声ストリームを受信できるようにするために、前記音声ストリームが、音声ストリームデータと、音声識別データを備えている、音声システム。
【請求項１０】
前記通信ユニットが、前記リクエストデータを受信する無線受信機を備えている、請求項９の音声システム。
【請求項１１】
前記通信ユニットが、前記聴覚システムの近距離無線通信タグから聴覚装置識別データを受信するように構成された近距離無線通信装置を備えている、請求項９の音声システム。
【請求項１２】
前記通信ユニットが、付属装置から前記リクエストデータを受信するように構成されている、請求項９の音声システム。
【請求項１３】
前記無線システムが、第２の音声ストリームを、前記第２の音声ストリームを示す第２の音声識別データとともに送信する第２の送信機ユニットと、前記第１の送信機ユニットおよび前記第２の送信機ユニットに接続された無線システム制御ユニットを備えており、
前記無線システム制御ユニットが、前記第１の送信機ユニットと前記第２の送信機ユニットを制御するように構成されている、請求項９の音声システム。
【請求項１４】
前記音声システムが、前記通信ユニットに接続されたユーザインターフェースユニットを備えており、
前記ユーザインターフェースが、前記音声トラックを示す前記リクエストデータを受け入れ、前記通信ユニットに前記リクエストデータを送信するように構成されている、請求項９の音声システム。
【請求項１５】
前記リクエストデータが、暗号化キーを備えており、
前記無線システムが、前記音声ストリームを送信する前に、前記暗号化キーを用いて前記音声ストリームデータを暗号化するように構成されている、請求項９の音声システム。
【発明の詳細な説明】
【技術分野】
【０００１】
本開示は、音声ストリーム配信のための音声システムおよび関連する方法に関する。特に、聴覚システムに無線音声ストリームを送信する方法および音声システムが提供される。
【背景技術】
【０００２】
聴覚装置との間の無線通信は、無線通信技術の継続的な発展の中で増加しつつある。音声が群衆に配信される混雑した環境、例えば空港や映画館においては、限られた帯域幅を有しており、様々な音声ストリームを分離する機能が限られているテレコイルを解決策として、音声をストリーム配信することが知られている。
【０００３】
さらに、例えば複合映画館の複数の上映会場など、隣接する放送エリアからの音声ストリームは、受信装置が複数の音声ストリームを分離および区別することができることを重ねて要求している。
【発明の概要】
【発明が解決しようとする課題】
【０００４】
既知の解決策にもかかわらず、無線で送信される様々な音声ストリームを、混雑した環境下において特定の個人に対して、個人的かつその個人向けにすることが、必要とされている。
【０００５】
聴覚システムのユーザにとっては、簡単かつ効果的な手法で、所望の音声ストリームを個人的なものとし、かつ選択する必要性も存在する。
【課題を解決するための手段】
【０００６】
従って、無線音声ストリームを聴覚システムに送信する音声システムが提供される。音声システムは、少なくとも第１の音声ストリームを、第１の音声ストリームを示す第１の音声識別データとともに送信する第１の送信機ユニットを含む、少なくとも１つの据え置き型の送信機ユニットを備える無線システムと、聴覚システムと通信するように構成された通信ユニットを備えている。さらに、音声システムは、聴覚装置識別データと、少なくとも１つの音声トラックを示すリクエストを備えるリクエストデータを受信し、リクエストデータに基づいて無線システム構成データを決定し、決定された無線システム構成データに従って、少なくとも１つの音声ストリームを送信するように構成されている。音声ストリームは、聴覚システムがリクエストされた音声トラックを表す音声ストリームを受信することを可能とするために、音声ストリームデータと、音声識別データを備えている。
【０００７】
聴覚装置を備える聴覚システムに無線音声ストリームを送信する音声システムを動作させる方法も開示される。その方法は、例えば通信ユニットで、聴覚装置識別データと、少なくとも１つの音声トラックを示すリクエストを備えるリクエストデータを受信するステップと、リクエストデータに基づいて、無線システム構成データを決定するステップと、決定された無線システム構成データに従って、少なくとも１つの音声ストリームを送信するステップを備えている。ここで、１つまたは複数の音声ストリームは、聴覚システムがリクエストされた音声トラックを表す音声ストリームを受信できるようにするために、音声ストリームデータと、音声識別データを備えている。
【０００８】
無線システムが、聴覚装置の聴覚装置識別データに基づいて音声識別データを送信することによって、聴覚システムの聴覚装置は、簡単な方法で、放送された音声ストリームを識別することが可能となり、音声ストリームを特定の聴覚装置に適合させることができる。
【０００９】
提案されたシステムおよび方法は、いくつかの可能な用途、例えば混雑した環境では困難である、個人向けの音響情報を、容易なものとする。
【００１０】
混雑した環境において、特定のユーザのみに受信される個人向けの音響情報をストリーム配信できることは、有利な点である。さらに、上記の方法および音声システムは、聴覚装置から送信されるデータの要求を低減することによって、聴覚装置の省電力化を可能にする。
【００１１】
聴覚装置を備える聴覚システムに無線音声ストリームを送信する音声システムを動作させる方法が開示される。音声システムは、通信ユニットと、送信機ユニットを備える無線システムを備えている。その方法は、聴覚装置識別データと、音声トラックを示すリクエストを備えるリクエストデータを受信するステップと、リクエストデータの少なくとも一部に基づいて、無線システム構成データを決定するステップと、決定された無線システム構成データに従って、送信機ユニットによって音声ストリームを送信するステップを備えている。ここで、音声ストリームは、聴覚システムがリクエストされた音声トラックを表す音声ストリームを受信できるようにするために、音声ストリームデータと、音声識別データを備えている。
【００１２】
必要に応じて、リクエストデータは、暗号化キーを備えていてもよく、上記の方法はさらに、音声ストリームを送信する前に、暗号化キーを用いて音声ストリームデータを暗号化するステップを備えていてもよい。
【００１３】
必要に応じて、リクエストデータを受信するステップは、聴覚システムの聴覚装置からリクエストデータを受信するステップを備えていてもよい。
【００１４】
必要に応じて、リクエストデータを受信するステップは、聴覚システムの付属装置からリクエストデータを受信するステップを備えていてもよい。ここで、付属装置は、携帯電話、タブレットコンピュータ、スマートフォン、聴覚装置リモコンユニット、またはカードキーを備えていてもよい。
【００１５】
必要に応じて、リクエストデータを受信するステップは、２．４ＧＨｚから２．５ＧＨｚまでの任意の周波数で、８００ＭＨｚから１ＧＨｚまでの任意の周波数で、および／または、１３ＭＨｚから１４ＭＨｚまでの任意の周波数で、リクエストデータを受信するステップを備えていてもよい。
【００１６】
必要に応じて、リクエストデータを受信するステップは、音声システムのユーザインターフェースからリクエストデータを受信するステップを備えていてもよい。
【００１７】
必要に応じて、音声識別データは、聴覚装置ＩＤ、送信機ＩＤ、送信機グループＩＤ、音声グループＩＤ、音声タイプＩＤ、および音声プロトコルＩＤのうちの１つまたはそれ以上を備えていてもよい。
【００１８】
必要に応じて、上記の方法はさらに、リクエストデータに基づいて聴覚システム構成データを決定するステップと、聴覚システムがリクエストされた音声トラックを表す音声ストリームを受信できるようにするために、聴覚システム構成データを聴覚システムに送信するステップを含んでいてもよい。
【００１９】
聴覚装置を備える聴覚システムに無線音声ストリームを送信する音声システムが開示される。その音声システムは、少なくとも第１の音声ストリームを、第１の音声ストリームを示す第１の音声識別データとともに送信する第１の送信機ユニットを含む、据え置き型の送信機ユニットを備える無線システムと、聴覚システムと通信するように構成された通信ユニットを備えている。音声システムは、聴覚装置識別データと、音声トラックを示すリクエストを備えるリクエストデータを受信し、リクエストデータの少なくとも一部に基づいて、無線システム構成データを決定し、無線システム構成データに従って、音声ストリームを送信するように構成されている。音声ストリームは、聴覚システムが、リクエストされた音声トラックを表す音声ストリームを受信できるようにするために、音声ストリームデータと、音声識別データを備えている。
【００２０】
必要に応じて、通信ユニットは、リクエストデータを受信する無線受信機を備えていてもよい。
【００２１】
必要に応じて、通信ユニットは、聴覚システムの近距離無線通信タグから聴覚装置識別データを受信するように構成された近距離無線通信装置を備えていてもよい。
【００２２】
必要に応じて、通信ユニットは、付属装置からリクエストデータを受信するように構成されていてもよい。
【００２３】
必要に応じて、無線システムは、第２の音声ストリームを、第２の音声ストリームを示す第２の音声識別データとともに送信する第２の送信機ユニットと、第１の送信機ユニットおよび第２の送信機ユニットに接続された無線システム制御ユニットを備えていてもよい。この場合、無線システム制御ユニットは、第１の送信機ユニットおよび第２の送信機ユニットを制御するように構成されている。
【００２４】
必要に応じて、音声システムは、通信ユニットに接続されたユーザインターフェースユニットを備えていてもよい。ここで、ユーザインターフェースは、音声トラックを示すリクエストデータを受け入れ、通信ユニットにリクエストデータを送信するように構成されている。
【００２５】
必要に応じて、リクエストデータは、暗号化キーを備えていてもよく、無線システムは、音声ストリームを送信する前に、暗号化キーを用いて音声ストリームデータを暗号化するように構成されていてもよい。
【００２６】
上記及び他の態様および特徴は、以下の実施形態の詳細な説明を読むことで明らかとなるであろう。
【図面の簡単な説明】
【００２７】
図面は、実施形態の設計および有用性を示しており、同様の要素は共通の参照番号で参照される。これらの図面は必ずしも一定の縮尺で描かれていない。上記およびその他の利点および目的がいかにして得られるかを理解しやすくするために、実施形態のより具体的な説明が提供され、添付の図面に示される。これらの図面は、特許請求の範囲を限定するものと考えるべきではない。
【図１】聴覚システムの例示的な音声システムを模式的に示す。
【図２】聴覚システムの例示的な音声システムを模式的に示す。
【図３】聴覚システムの例示的な音声システムを模式的に示す。
【図４】聴覚システムの例示的な音声システムを模式的に示す。
【図５】いくつかの実施形態による例示的な方法のフローチャートである。
【発明を実施するための形態】
【００２８】
様々な実施形態について、図面を参照して説明する。なお、図面は縮尺通りに描かれていないこと、および類似の構造または機能の要素は、図面全体を通して同様の参照番号によって表されることに留意すべきである。また、図面は、実施形態の説明を容易にすることのみを意図したものであることに留意すべきである。それらは、特許請求の範囲に記載された発明の網羅的な説明を意図するものでもないし、または特許請求の範囲を限定することを意図するものでもない。また、図示した実施形態では、図示されるすべての特徴または利点を必ずしも有している必要はない。特定の実施形態に関連して説明される特徴または利点は、必ずしもその実施形態に限定されるものではなく、図示していない場合、または明記されていない場合でも、任意の他の実施形態で実現することができる。
【００２９】
本明細書に記載の実施形態は、聴覚装置に音声トラックを表す音声ストリームをストリーム配信することが可能な音声システムに関する。聴覚システムの聴覚装置は、聴覚装置のユーザの聴力損失または聴覚障害を補償するように構成されたプロセッサを備えていてもよい。聴覚装置は、聴覚装置識別データ（聴覚装置ＩＤ）によって識別されてもよい。聴覚装置識別データを用いて、音声システムは、特定の聴覚装置識別データを有する特定の聴覚装置に、または特定の聴覚装置識別データを共有する聴覚装置のグループに、音響信号をストリーム配信することができる。
【００３０】
リクエストデータを受信すると、リクエストデータに基づいて、特にリクエストデータの聴覚装置識別データに基づいて、無線システム構成データが決定される。続いて、少なくとも１つの音声ストリームが、無線システム構成データに従って、少なくとも１つの送信機ユニットから送信される。少なくとも１つの音声ストリームは、リクエストデータに含まれる聴覚装置識別データに従う、および／または聴覚装置識別データを含む、音声識別データを備えている。これにより、聴覚システムは、リクエストされた音声トラックを表す所望の音声ストリームを検索し、それのみを受信することができる。これにより、聴覚装置の送信機または受信機の改善された電力管理をもたらし、消費電力の削減を提供することができる。
【００３１】
聴覚システムは、聴覚装置と、必要に応じて付属装置を備えている。従って、聴覚システムからリクエストデータを送信するステップは、聴覚システムの聴覚装置および／または付属装置からリクエストデータを送信するステップを備えていてもよい。聴覚システムからリクエストデータを送信するステップは、リクエストデータまたはその一部を、電子メールまたはテキストメッセージ、例えばＳＭＳとして送信するステップを備えていてもよい。
【００３２】
本明細書において、音声トラックは音響信号、例えば空港での案内、映画の音声トラック、スピーチ、または楽曲である。
【００３３】
音声ストリームは、音声トラックを表す電磁信号である。送信機は、音声ストリームを送信する。音声ストリームは、音声ストリームデータと、音声識別データを備えており、音声ストリームデータは、音声トラックを表している。音声識別データ（音声ＩＤ）は、特定の音声ストリームの識別を可能にする、あるいは特定の音声ストリームの識別に使用されるデータである。
【００３４】
音声識別データ（音声ＩＤ）は、特定の聴覚装置ＩＤに関連付けられた聴覚装置が受信すべきストリームを識別できるように、聴覚装置識別データ（聴覚装置ＩＤ）を備えていてもよい。音声識別データはさらに、あるいは代替的に、送信機ＩＤ、送信機グループＩＤ、音声グループＩＤ、音声タイプＩＤ、および音声プロトコルＩＤのうちの、１つまたはそれ以上を備えていてもよい。
【００３５】
送信機識別データ（送信機ＩＤ）は、無線システムの特定の送信機の識別を可能する、または識別に使用されるデータである。
【００３６】
送信機グループ識別データ（送信機グループＩＤ）は、無線システムの送信機のグループの識別を可能にする、または識別に使用されるデータである。送信機のグループは、複数の送信機を備える。送信機は、音声トラック、選択されたエリアでの位置などに基づいてグループ化されていてもよい。送信機の第１のグループは、第１の音声トラックをストリーム配信するものの、異なる音声ＩＤを備える送信機によって形成されていてもよい。送信機の第２のグループは、第２の音声トラックをストリーム配信するものの、異なる音声ＩＤを備える送信機によって形成されていてもよい。
【００３７】
音声グループ識別データ（音声グループＩＤ）は、聴覚システムのユーザに関連する音声ストリームのグループの識別を可能にする、または識別に使用されるデータである。音声グループＩＤは、音声トラックまたは音声トラックの一部を示すデータを備えていてもよい。音声グループＩＤは、言語を示すデータを備えていてもよい。
【００３８】
音声タイプ識別データ（音声タイプＩＤ）は、音声タイプの識別を可能にする、または識別に使用されるデータである。音声タイプＩＤは、対象とする音声ストリームを聴き取ることが可能な聴覚装置のモデル／メーカを表していてもよい。
【００３９】
音声プロトコル識別データ（音声プロトコルＩＤ）は、音声プロトコル、例えば符号化形式、周波数、または音声ストリームの他の物理的特性の識別を可能にする、または識別に使用されるデータである。
【００４０】
送信機ユニットは、１つまたはそれ以上のアンテナを備えていてもよい。送信機ユニットは、同時に複数の音声ストリームをストリーム配信するように構成されていてもよい。これは、例えば複数のアンテナを備える送信機ユニットによって実現されてもよい。
【００４１】
無線システムは、リクエストに応じてストリーム配信され得る複数の音声トラックを格納していてもよい。これにより、聴覚システムは、リクエストにより、リクエストされた音声トラックを含む所望の音声ストリームデータを受信することができる。
【００４２】
リクエストデータを受信するステップは、通信ユニットでリクエストデータを受信するステップを備えていてもよい。リクエストデータは、聴覚装置ＩＤと、少なくとも１つの音声トラックを示すリクエストを備えていてもよい。
【００４３】
例えば通信ユニットで受信される、リクエストデータは、暗号化キーを備えていてもよく、上記の方法は、少なくとも１つの音声ストリームをストリーム配信する前に、暗号化キーを用いて音声ストリームデータを暗号化するステップを備えていてもよい。暗号化キーは、例えば聴覚システムから送信されてもよい。無線システムは、少なくとも１つの音声ストリームを送信する前に、暗号化キーを用いて音声ストリームデータを暗号化するように構成されていてもよい。聴覚システムによって提供される暗号化キーを用いて音声ストリームを暗号化することによって、聴覚システムは、暗号化された音声ストリームを受信し、聴覚システムによって維持された復号化キーを用いて復号化することが可能となる。それによって、たとえ聴覚装置ＩＤが音声システムへの送信の際に傍受された場合でも、他の聴覚装置が音声ストリームデータによって表される音声トラックを傍受することが防止される。これにより、無線音声ストリームの安全かつ個人的なストリーム配信が提供される。
【００４４】
リクエストデータは、聴覚システム識別データを備えていてもよい。聴覚システムデータは、聴覚システムについての情報、例えば聴覚装置のモデル、聴覚システム内の聴覚装置の個数、聴覚装置のタイプ、および付属装置がある場合には、付属装置のタイプ、電話番号、および／または電子メールアドレスを含んでいてもよい。音声システムに聴覚システム識別データを提供することで、音声システムが、１またはそれ以上の送信機ユニットを、そこからリクエストを受信した聴覚システム向けにセットアップすることが可能となり、それによって、個人的かつ安全な音声ストリーム配信が可能となる。聴覚システム識別データを提供することで、音声システムが、聴覚システム、特にそこからリクエストデータを受信した聴覚システムについての聴覚システム構成データを、送信することを可能にする。
【００４５】
例えば通信ユニットで受信される、音声トラックを示すリクエストは、対象とする音声システムに応じて、様々なソースから、あるいは様々な方法を用いて、受信されてもよい。音声システムの通信ユニットは、リクエストデータまたはリクエストデータの少なくとも一部を受信するための、無線受信機を備えていてもよい。これにより、音声システムへの聴覚装置ＩＤの送信が容易となる。同様に、対象とする音声トラックを示すリクエストを、音声システムに容易に伝送することができる。
【００４６】
聴覚システムは、少なくとも１つの聴覚装置を備えている。従って、リクエストデータを受信するステップは、聴覚システムの聴覚装置からリクエストデータを受信するステップを備えていてもよい。
【００４７】
聴覚システムは、第１の聴覚装置と、必要に応じて第２の聴覚装置に加えて、付属装置を備えていてもよい。従って、リクエストデータを受信するステップは、聴覚システムの付属装置からリクエストデータを受信するステップを備えていてもよい。付属装置は、例えば携帯電話、タブレットコンピュータ、スマートフォン、聴覚装置リモコンユニット、またはカードキーであってもよい。
【００４８】
リクエストデータを受信するステップは、聴覚システムの聴覚装置からリクエストデータの一部を、付属装置からリクエストデータの一部を、および／または、聴覚システムの一部でないユニット、例えば音声システムのユーザインターフェースからリクエストデータの一部を受信するステップを備えていてもよい。
【００４９】
通信ユニットは、聴覚システムの近距離無線通信タグから聴覚装置ＩＤを受信するように構成された近距離無線通信装置を備えていてもよい。
【００５０】
近距離無線通信タグを搭載した聴覚システムまたはその一部が通信ユニットの近距離無線通信装置の近傍、例えば４０ｃｍの範囲内に、または２０ｃｍの範囲内に、または１５ｃｍの範囲内に、または５ｃｍの範囲内に位置する場合、聴覚システムの近距離無線通信タグは、聴覚装置ＩＤを、通信ユニットの近距離無線通信装置に送信する。音声システムの近距離無線通信装置は、１３ＭＨｚから１４ＭＨｚまでの範囲内の周波数で、聴覚装置ＩＤを受信するように構成されていてもよい。
【００５１】
同様に、聴覚システムの近距離無線通信タグが通信ユニットの近距離無線通信装置の近傍、例えば４０ｃｍの範囲内に、または２０ｃｍの範囲内に、または１５ｃｍの範囲内に、または５ｃｍの範囲内に位置する場合には、対象とする音声トラックを示すリクエストが、近距離無線通信装置を用いて、聴覚システムから通信ユニットに伝送されてもよい。
【００５２】
近距離無線通信装置を使用すると、エリア内の他のデバイスからの干渉なしで、簡単かつユーザフレンドリーな、聴覚システムから音声システムへの情報の伝送が可能となる。あるいは、他の技術、例えば電話回線、ブルートゥースまたはＷｉＦｉが、リクエストデータの受信に使用されてもよい。
【００５３】
あるいは、または上記に加えて、通信ユニットは、付属装置から、リクエストデータ、またはリクエストデータの一部を受信するように構成されていてもよい。付属装置と音声システムの通信ユニットの間の通信は、例えばインターネット、電話回線、ローカルエリアネットワーク、ブルートゥースまたは近距離無線通信装置を介していてもよい。
【００５４】
通信ユニットは、聴覚システムの付属装置から、リクエストデータ、またはリクエストデータの一部を受信するように構成された、ウェブサーバを備えていてもよい。
【００５５】
リクエストデータを受信するステップは、テキストメッセージ、例えばＳＭＳおよび／または電子メールを受信するステップを備えていてもよい。従って、通信ユニットは、テキストメッセージ、例えばＳＭＳまたは電子メールを受信することによって、リクエストデータを受信することを可能にするユニットを備えていてもよい。テキストメッセージは、聴覚システムの付属装置から送信されてもよい。
【００５６】
リクエストデータを受信するステップは、２．４ＧＨｚから２．５ＧＨｚまでの範囲の、および／または８００ＭＨｚから１ＧＨｚまでの範囲の、および／または１３ＭＨｚから１４ＭＨｚまでの範囲の、および／または３．６ＧＨｚから３．７ＧＨｚまでの範囲の、および／または４．９ＧＨｚから５．９ＧＨｚまでの範囲の周波数で、リクエストデータを受信するステップを備えていてもよい。
【００５７】
音声システムは、通信ユニットへの接続が可能なユーザインターフェースユニットを備えていてもよい。ユーザインターフェースは、リクエストデータを受け入れるように構成されていてもよく、ユーザインターフェースは、通信ユニットにリクエストデータを送信するように構成されていてもよい。従って、リクエストデータを受信するステップは、音声システムのユーザインターフェースユニットから、リクエストデータを受信するステップを備えていてもよい。ユーザインターフェースユニットは、音声システムのユーザからリクエストを受け入れてもよい。ユーザインターフェースは、タッチスクリーン、キーボードおよびマウスのうちの１つまたはそれ以上を備えていてもよい。ユーザインターフェースユニットは、モニタ、またはＬＥＤディスプレイ、プラズマスクリーン、ＯＬＥＤディスプレイを含む他のディスプレイを備えていてもよい。
【００５８】
ユーザインターフェースユニットは、ユーザまたは聴覚システムのユーザの介助者が、その聴覚システムにどの音声トラックをストリーム配信することをリクエストするのかを、打ち込む、または別の方法で指し示すことができるように、設計されていてもよい。同様に、ユーザが、聴覚装置ＩＤをユーザインターフェースユニットに入力してもよい。ユーザインターフェースユニットは、通信ユニットにリクエストデータを送信し、それに応じて、無線システムが構成される。これによって、音声システムは、リクエストされた音声トラックを表す音声ストリームを聴覚システムの聴覚装置にストリーム配信することができる。
【００５９】
別の例示的な音声システムでは、ユーザインターフェースユニットは、通信ユニットの近距離無線通信装置に物理的に接続されて配置されていてもよい。ユーザは、通信ユニットの近距離無線通信装置を介して聴覚装置ＩＤを伝送しつつ、ユーザインターフェースユニットを用いて音声トラックのリクエストを入力してもよい。
【００６０】
無線システムは、少なくとも第２の音声ストリームを、第２の音声ストリームを示す第２の音声ＩＤとともに送信する、第２の送信機ユニットを備えていてもよい。
【００６１】
送信機ユニットからの音声ストリームの伝送を制御するために、無線システムは、送信機ユニットに接続され、送信機ユニットを制御するように構成された、無線システム制御ユニットを備えていてもよい。無線システム制御ユニットは、無線システムと通信ユニットの間の音声ストリームに関する情報の通信を可能にするように、通信ユニットに接続されていてもよい。
【００６２】
無線システム制御ユニットは、送信機ユニットのそれぞれの構成を決定してもよく、どの音声ストリームデータをどのユニットからストリーム配信するかを決定してもよい。さらに、無線システム制御ユニットは、音声ストリームの一部として送信されるべき音声ＩＤを、例えばそれぞれの送信機に制御信号を送信することによって、制御してもよい。
【００６３】
音声システムは、音声トラック、音声ストリームデータおよび／または音声ＩＤを格納する、または備えるように構成されたデータベースユニットを備えていてもよい。データベースユニットは、無線システムについての無線システム構成データを、例えばルックアップテーブルの形で、備えていてもよい。
【００６４】
データベースユニットは、無線システムおよび／または通信ユニットに接続されていてもよい。例えば通信ユニットでの、リクエストデータの受信に応じて、無線システム構成データを決定するステップは、リクエストされた音声トラックに対応する無線システム構成データについてデータベースユニットを検索するステップを備えていてもよい。決定された無線システム構成データは、データベースユニットに送信されてもよい。従って、無線システムは、データベースユニットから、送信機ユニットで送信すべき内容を示すデータを読み出してもよい。
【００６５】
データベースユニットは、無線システム制御ユニットを介して無線システムに接続されていてもよい。無線システムは、それぞれの送信機ユニットの現在の状態の情報を含むデータを、データベースユニットに送信してもよい。無線システムからデータベースユニットへ送信される情報は、例えば、現在送信されている音声ストリーム、および対応する音声ＩＤ、音声グループＩＤ、送信機ＩＤおよび／または送信機グループＩＤについての情報を含んでいてもよい。
【００６６】
データベースユニットは、ユーザインターフェースユニットに接続されていてもよい。ユーザインターフェースユニットは、無線システムの送信機ユニットの制御を示すデータを、データベースユニットに送信してもよい。ユーザインターフェースは、例えばリクエストされた音声トラックおよび聴覚装置ＩＤといった情報を、データベースに提供してもよい。
【００６７】
無線システムについての無線システム構成データは、第１の聴覚システムのモデルまたはタイプについての第１の構成データと、第２の聴覚システムのモデルまたはタイプについての第２の構成データを備えていてもよい。聴覚システムは、聴覚装置のタイプおよび／またはモデルの情報を、音声システムに提供してもよい。聴覚システムの情報、タイプおよび／またはモデルは、リクエストデータとともに伝送されてもよい。従って、リクエストデータは、聴覚システムデータを備えていてもよい。提供された情報に従って、無線システムは、聴覚装置が受信可能な方法で音声ストリームをストリーム配信するために、複数の構成から選択してもよい。
【００６８】
それぞれの音声ストリームは、音声ＩＤを備えていてもよく、音声ＩＤは、聴覚装置ＩＤ、送信機ＩＤ、送信機グループＩＤ、音声グループＩＤ、音声タイプＩＤ、音声プロトコルＩＤのうち１つまたはそれ以上を備えていてもよい。聴覚装置ＩＤを含む以外に、音声ＩＤに付加的な情報を付け加えることで、例えばエラー検出の性能を向上し、より汎用性の高いシステムを実現し、あるいは受信品質の性能を向上することができる。
【００６９】
上記の方法は、通信ユニットの近距離無線通信装置と聴覚システムの近距離無線通信装置を介して、リクエストデータを送信するステップを備えていてもよい。
【００７０】
例示的な方法では、聴覚装置ＩＤを送信するステップは、聴覚システムを通信ユニットの近距離無線通信装置の近傍に配置することによって実現されてもよい。通信ユニットの複数の近距離無線通信装置の選択は、リクエストされた音声トラックを選択する方法としての役割を果たしてもよい。これにより、聴覚装置と音声システムの間の、電力を消費するペアリング手順が回避され、あるいは少なくとも簡素化される。
【００７１】
別の例示的な方法においては、リクエストされた音声トラックを選択する方法は、音声システムのユーザインターフェースを用いて実行される。
【００７２】
音声システムの通信ユニットは、聴覚システムにデータを送信する送信機を備えていてもよい。通信ユニットの送信機は、任意のタイプの送信機、例えば無線送信機または近距離無線通信装置を備えていてもよい。
【００７３】
上記の方法は、リクエストデータに基づいて、聴覚システム構成データを決定するステップと、聴覚システムがリクエストされた音声トラックを表す音声ストリームを受信できるようにするために、聴覚システム構成データを聴覚システムに送信するステップを備えていてもよい。例示的な方法では、音声システムは、聴覚システムからリクエストデータを受信してもよい。ここで、リクエストデータは、聴覚システム構成データについてのリクエストと、音声トラックを示すリクエストを備えている。従って、音声システムは、リクエストされた音声トラックを表す音声ストリームの送信に従って聴覚システムが構成されるように、聴覚システムについての聴覚システム構成データを提供してもよい。
【００７４】
音声ストリームは、選択された周波数で、例えば２．４ＧＨｚから２．５ＧＨｚまでの範囲内の周波数で、または８００ＭＨｚから１ＧＨｚまでの範囲内の周波数で、送信されてもよい。他の適切な周波数は、３．６ＧＨｚから３．７ＧＨｚまでの範囲内、および／または４．９ＧＨｚから５．９ＧＨｚまでの範囲内にあってもよい。
【００７５】
図１は、聴覚システム６に無線音声ストリームを送信する例示的な音声システム２を模式的に示している。聴覚システム６は、聴覚装置６Ａと、必要に応じて付属装置６Ｂを備えている。音声システム２は、複数の送信機ユニット１０，１０’，１０’’，１０’’’を備える無線システム８を備えている。それぞれの送信機ユニット１０，１０’，１０’’，１０’’’は、音声ストリームを、その音声ストリームを示す音声ＩＤとともに、送信するように構成されている。音声システム２はさらに、聴覚システム６と通信するように構成された通信ユニット４を備えている。音声システム２は、聴覚装置ＩＤと、少なくとも１つの音声トラックを示すリクエストを備えるリクエストデータ１２を受信するように構成されている。音声システム２はさらに、リクエストデータに基づいて無線システム８についての無線システム構成データを決定し、決定された無線システム構成データに従って、少なくとも１つの音声ストリーム１６を送信するように構成されている。ここで、音声ストリーム１６は、聴覚システム６がリクエストされた音声トラックを表す音声ストリーム１６を受信できるようにするために、音声ストリームデータと、音声ＩＤを備えている。
【００７６】
例示的な方法では、聴覚システム６は、通信ユニット４にリクエストデータ１２を送信する。通信ユニット４は、受信されたリクエストデータ１２に基づいて無線システム８についての無線システム構成データを決定し、決定された無線システム構成データ１４を無線システム８に送信する。無線システム８で受信された構成データ１４は、聴覚システム６から受信された、聴覚装置ＩＤと、リクエストされた音声ＩＤを示している。図示された音声システムでは、送信機ユニット１０は、通信ユニット８から受信された無線システム構成データ１４に従って、音声ストリーム１６を送信する。音声ストリーム１６は、音声ストリームデータと、少なくとも聴覚装置ＩＤを備える音声ＩＤを備えている。聴覚システム６の聴覚装置６Ａは、聴覚装置ＩＤを備える音声ＩＤによって、リクエストされた音声ストリーム１６を識別し受信することができる。音声ＩＤは、必要に応じて、いくつかの他の有用な情報、例えば送信機ＩＤ、送信機グループＩＤ、音声グループＩＤ、音声タイプＩＤ、および音声プロトコルＩＤをさらに備えていてもよい。
【００７７】
リクエストデータ１２は、ネットワーク（図示せず）、例えばインターネット、またはローカルエリアネットワークを介して送信されてもよい。リクエストデータ１２は、無線で送信されてもよい。
【００７８】
第２、第３および第４の送信機ユニット１０’，１０’’，１０’’’は、例示的な音声システムにおいて、第１の送信機１０から送信される第１の音声ストリーム１６の音声ストリームデータと同一の音声ストリームデータをストリーム配信してもよい。第２から第４の音声ストリームの音声ＩＤは、第１の音声ストリーム１６と同一の聴覚装置ＩＤをさらに備えていてもよく、従って聴覚システムがリクエストされた音声トラックを何れかの送信機ユニットから受信することを可能としてもよい。
【００７９】
第２、第３および第４の送信機ユニット１０’，１０’’，１０’’’は、例示的な音声システムにおいて、他の聴覚システム（図示せず）に宛てられた第２、第３および第４の音声ストリーム（図示せず）を送信してもよく、従って他の聴覚システムの聴覚装置ＩＤを示す音声ＩＤを備えていてもよい。
【００８０】
聴覚システム６は、少なくとも１つの聴覚装置６Ａと、必要に応じて付属装置６Ｂ、例えば携帯電話、タブレットコンピュータ、スマートフォン、聴覚装置リモコンユニット、またはカードキーを備えていてもよい。付属装置６Ｂおよび聴覚装置６Ａは、互いの間でデータを送信してもよい。付属装置６Ｂと聴覚装置６Ａの間のデータの送信は、例えばブルートゥースまたは類似のもの、ＷｉＦｉあるいは近距離無線通信を用いて、無線により行われてもよい。
【００８１】
音声システム２は、必要に応じて、近距離無線通信装置、ユーザインターフェースユニット、無線システム制御ユニット、および／またはデータベースユニットのうちの、１つまたはそれ以上を備えていてもよい。これらのユニットを備える音声システムが、図２−図４に図示された例示的な音声システムにおいて例示されている。
【００８２】
図２は、例示的な音声システムを模式的に示している。音声システム２’は、図１に示す音声システム２と同様の構成を備えている。通信ユニット４’は、聴覚システム６への、および／または聴覚システム６からの、ショートレンジデータを受信および／または送信する、近距離無線通信装置１８を備えている。通信ユニット４’は、近距離無線通信装置１８を介して、聴覚システム６からの、聴覚装置ＩＤと、少なくとも１つの音声トラックを示すリクエストを備えるリクエストデータ１２を受信する。
【００８３】
例示的な音声システムでは、リクエストデータ１２のある部分、例えば聴覚装置ＩＤは、近距離無線通信装置１８を介して通信ユニット４’で受信されてもよく、リクエストデータ１２の別の部分、例えば少なくとも１つの音声トラックを示すリクエストは、別の方法によって、例えばインターネット、ローカルエリアネットワークまたは電話回線を介して、通信ユニット４’で受信されてもよい。
【００８４】
なお、近距離無線通信装置１８は、受信機の一例であることを理解すべきである。他の例示的な受信機は、２．４ＧＨｚおよび２．５ＧＨｚの間の周波数用に構成された受信機を含んでいてもよい。例示的な通信ユニットにおいて、リクエストデータは、インターネットを介して受信される。すなわち、通信ユニットは、ウェブインターフェース（図示せず）を備えていてもよい。
【００８５】
図３は、例示的な音声システムを模式的に示している。音声システム２’’は、図２に示す音声システム２’と同様の構成を備えている。音声システム２’’は、オプションのユーザインターフェースユニット２２を備えており、音声システム２’’の無線システム８’は、オプションの無線システム制御ユニット２０をさらに備えている。
【００８６】
無線システム制御ユニット２０は、通信ユニット４’から受信される無線システム構成データ１４に従って、送信機ユニット１０，１０’，１０’’，１０’’’を制御するように構成されている。すなわち、無線システム制御ユニット２０は、それぞれの送信機ユニット１０，１０’，１０’’，１０’’’が、どの音声トラックをストリーム配信し、どの音声ＩＤを音声ストリームデータとともに送信するかを制御する。無線システム８’の送信機ユニット１０，１０’，１０’’，１０’’’はそれぞれ、無線システム制御ユニット２０によって制御されて、音声ＩＤとともに音声ストリームを送信する。
【００８７】
ユーザインターフェースユニット２２は、少なくとも１つの音声トラックを示すリクエスト１２Ｂを受け入れ、受け入れたリクエストを通信ユニット４’へ送信するように構成されている。聴覚システム６は、聴覚装置ＩＤ１２Ａを、例えば近距離無線通信装置１８または他の受信機を介して提供する。
【００８８】
実際の例示的な音声システムにおいて、ユーザインターフェースユニット２２は、物理的に、近距離無線通信装置１８と接続されて配置されていてもよい。ユーザは、近距離無線通信装置１８を介して聴覚装置ＩＤ１２Ａを伝送しつつ、ユーザインターフェースユニット２２を用いて音声トラックのリクエスト１２Ｂを入力してもよい。音声システム２’’は、受信されたリクエスト１２Ｂを、近距離無線通信装置１８を介して同時に受信される聴覚装置ＩＤ１２Ａと、ペアにするように構成されていてもよい。あるいは、ユーザが、ユーザインターフェースユニット２２によって、聴覚装置を近距離無線通信装置１８の近傍に配置するタイミングを指示されてもよい。別の例示的な音声システムにおいては、ユーザは、ユーザインターフェースユニットで、聴覚装置ＩＤを手で打ち込んでもよい。
【００８９】
図４は、例示的な音声システムを模式的に示している。音声システム２’’’は、図３に示す音声システム２’’と同様の構成を備えている。音声システム２’’’は、オプションのデータベースユニット２４を備えている。通信ユニット４’は、リクエストされたデータを示すデータ３０をデータベースユニット２４に送信する。無線システム制御ユニット２０は、無線システム構成データ１４を、データベースユニット２４から受信する。無線システム制御ユニット２０は、データベースユニット２４から取得された無線システム構成データ１４に従って、複数の送信機ユニット１０，１０’，１０’’，１０’’’を制御する。
【００９０】
無線システム制御ユニット２０は、定期的に、例えば一秒おきに、一秒ごとに、一秒に二回、または任意の一定時間ごとに、データベースからの無線システム構成データをリクエストし（２８）、データベースユニット２４から無線システム構成データを受信する（１４）。無線システムは、データベース２４への変更を検出し、データベース２４への変更が検出されると、データベースからの無線システム構成データをリクエストし（２８）、そのようなリクエストへの応答として無線システム構成データを受信する（１４）ように構成されていてもよい。
【００９１】
ユーザインターフェースユニット２２は、無線システム構成データ２６を、直接的にデータベースユニット２４に送信可能であってもよい。これは、例えば利用可能な音声トラックが更新される場合であってもよく、および／または、データベースをメンテナンスするためであってもよい。ユーザインターフェースユニット２２は、例示的な音声システムにおいて、リクエストデータをデータベースに送信してもよい。
【００９２】
図５は、少なくとも１つの聴覚システムに無線音声ストリームを送信する音声システムを動作させる例示的な方法１００のフローチャートを示している。音声システムは、通信ユニットと無線システムを備えている。無線システムは、少なくとも第１の音声ストリームを、第１の音声ストリームを示す第１の音声ＩＤとともに送信する、第１の送信機ユニットを含む、少なくとも１つの据え置き型の送信機ユニットを備えている。
【００９３】
方法１００は、聴覚装置ＩＤと、少なくとも１つの音声トラックを示すリクエストを備えるリクエストデータを受信するステップ１０２と、受信されたリクエストデータに基づいて、無線システムについての無線システム構成データを決定するステップ１０４と、決定された無線システム構成データに従って、少なくとも１つの音声ストリームを送信するステップ１０６を備えている。音声ストリームは、聴覚システムがリクエストされた音声トラックを表す音声ストリームを受信することを可能とするために、音声ストリームデータと、音声ＩＤを備えている。音声ＩＤは、聴覚装置ＩＤを備えている。それによって、音声ストリームは、聴覚装置ＩＤを備える聴覚装置により受信することが可能となる。
【００９４】
リクエストデータは、音声システムが、リクエストにおいて示される音声トラックを表す少なくとも１つの音声ストリームを識別することを可能にするデータを備えていてもよい。リクエストは、例えば特定の時刻に開始する特定の映画、あるいは空港における特定のフライトや乗客、例えば聴覚システムのユーザに関連するあらゆる案内についての音声トラックを、備えていてもよく、あるいは示していてもよい。リクエストは、聴覚システムデータ、例えば聴覚装置のモデル、聴覚装置のタイプ、および付属装置がある場合には、付属装置のタイプ、電話番号および／または電子メールを備えていてもよい。リクエストデータは、テキストメッセージ、例えばＳＭＳや電子メールを送信することによって送信されてもよいし、あるいは、インターネット、ローカルエリアネットワーク、ブルートゥース送受信機、および／または近距離無線通信装置を介して送信されてもよい。
【００９５】
聴覚システムからリクエストデータを受信するステップ１０２は、聴覚システムの聴覚装置から、または聴覚システムの付属装置から、データを受信するステップを備えていてもよい。リクエストデータを受信するステップ１０２は、テキストメッセージ、例えばＳＭＳや電子メールを受信するステップを備えていてもよい。あるいは、リクエストデータは、インターネット、ローカルエリアネットワーク、ブルートゥース送受信機、および／または近距離無線通信装置を介して送信されてもよい。
【００９６】
無線システム構成データを決定するステップ１０４は、音声システムのデータベースユニットから音声ストリームについての情報を検索するステップを備えていてもよい。無線システム構成データは、受信されたリクエストデータおよび対応する音声ストリームの情報に基づいている。無線システム構成データを決定するステップ１０４は、リクエストデータ１０２の一部として受信された聴覚システムデータを利用して、送信機ユニットが特に対象とする聴覚装置および／または聴覚システムのために構成されることを可能とするステップを備えていてもよい。
【００９７】
少なくとも１つの音声ストリームを送信するステップ１０６は、リクエストデータの聴覚装置ＩＤを、無線システムの送信機ユニットから送信される既存の音声ストリームに付加するステップを備えていてもよい。少なくとも１つの音声ストリーム１０６を送信するステップ１０６は、リクエストデータの受信に応じて、新たな音声ストリームのストリーム配信を開始するステップを備えていてもよい。
【００９８】
以下の項目の何れかによる方法および音声システムも開示される。
【００９９】
（項目１）
聴覚装置を備える聴覚システムに無線音声ストリームを送信する音声システムを動作させる方法であって、
前記音声システムが、通信ユニットと、少なくとも第１の音声ストリームを、前記第１の音声ストリームを示す第１の音声識別データとともに送信する第１の送信機ユニットを含む、少なくとも１つの据え置き型の送信機ユニットを備える無線システムを備えており、
前記方法は、
聴覚装置識別データと、少なくとも１つの音声トラックを示すリクエストを備える、リクエストデータを受信するステップと、
前記リクエストデータに基づいて、無線システム構成データを決定するステップと、
前記決定された無線システム構成データに従って、少なくとも１つの音声ストリームを送信するステップを備えており、
前記聴覚システムが前記リクエストされた音声トラックを表す前記音声ストリームを受信できるようにするために、前記音声ストリームが、音声ストリームデータと、音声識別データを備えている、方法。
【０１００】
（項目２）
前記リクエストデータが、暗号化キーを備えており、
前記方法がさらに、前記少なくとも１つの音声ストリームを送信する前に、前記暗号化キーを用いて前記音声ストリームデータを暗号化するステップを備えている、項目１の方法。
【０１０１】
（項目３）
前記リクエストデータを受信する前記ステップが、前記聴覚システムの聴覚装置から前記リクエストデータを受信するステップを備える、項目１または２の方法。
【０１０２】
（項目４）
前記リクエストデータを受信する前記ステップが、前記聴覚システムの付属装置から前記リクエストデータを受信するステップを備えており、
前記付属装置が、携帯電話、タブレットコンピュータ、スマートフォン、聴覚装置リモコンユニット、およびカードキーのグループから選択されている、項目１から３の何れか一項の方法。
【０１０３】
（項目５）
前記リクエストデータを受信する前記ステップが、２．４ＧＨｚから２．５ＧＨｚまでの範囲内の、および／または８００ＭＨｚから１ＧＨｚまでの範囲内の、および／または１３ＭＨｚから１４ＭＨｚまでの範囲内の周波数で、前記リクエストデータを受信するステップを備えている、項目１から４の何れか一項の方法。
【０１０４】
（項目６）
前記リクエストデータを受信する前記ステップが、前記音声システムのユーザインターフェースユニットから前記リクエストデータを受信するステップを備える、項目１から５の何れか一項の方法。
【０１０５】
（項目７）
前記音声識別データが、聴覚装置ＩＤ、送信機ＩＤ、送信機グループＩＤ、音声グループＩＤ、音声タイプＩＤ、および音声プロトコルＩＤのうちの１つまたはそれ以上を備えている、項目１から６の何れか一項の方法。
【０１０６】
（項目８）
前記リクエストデータに基づいて、聴覚システム構成データを決定するステップと、
前記聴覚システムが前記リクエストされた音声トラックを表す前記音声ストリームを受信できるようにするために、前記聴覚システム構成データを前記聴覚システムに送信するステップをさらに備えている、項目１から７の何れか一項の方法。
【０１０７】
（項目９）
聴覚装置を備える聴覚システムに無線音声ストリームを送信する音声システムであって、
少なくとも第１の音声ストリームを、前記第１の音声ストリームを示す第１の音声識別データとともに送信する第１の送信機ユニットを含む、少なくとも１つの据え置き型の送信機ユニットを備える無線システムと、
前記聴覚システムと通信するように構成された通信ユニットを備えており、
前記音声システムは、
聴覚装置識別データと、少なくとも１つの音声トラックを示すリクエストを備える、リクエストデータを受信し、
前記リクエストデータに基づいて、無線システム構成データを決定し、
前記決定された無線システム構成データに従って、少なくとも１つの音声ストリームを送信するように構成されており、
前記聴覚システムが前記リクエストされた音声トラックを表す前記音声ストリームを受信できるようにするために、前記音声ストリームが、音声ストリームデータと、音声識別データを備えている、音声システム。
【０１０８】
（項目１０）
前記通信ユニットが、前記リクエストデータを受信する無線受信機を備えている、項目９の音声システム。
【０１０９】
（項目１１）
前記通信ユニットが、前記聴覚システムの近距離無線通信タグから聴覚装置識別データを受信するように構成された近距離無線通信装置を備えている、項目９または１０の音声システム。
【０１１０】
（項目１２）
前記通信ユニットが、付属装置から前記リクエストデータを受信するように構成されている、項目９から１１の何れか一項の音声システム。
【０１１１】
（項目１３）
前記無線システムが、少なくとも第２の音声ストリームを、前記第２の音声ストリームを示す第２の音声識別データとともに送信する第２の送信機ユニットと、前記送信機ユニットに接続されており、前記送信機ユニットを制御するように構成されている無線システム制御ユニットを備えている、項目９から１２の何れか一項の音声システム。
【０１１２】
（項目１４）
前記音声システムが、前記通信ユニットに接続されたユーザインターフェースユニットを備えており、
前記ユーザインターフェースが、少なくとも１つの音声トラックを示す前記リクエストデータを受け入れ、前記通信ユニットに前記リクエストデータを送信するように構成されている、項目９から１３の何れか一項の音声システム。
【０１１３】
（項目１５）
前記リクエストデータが、暗号化キーを備えており、
前記無線システムが、前記少なくとも１つの音声ストリームを送信する前に、前記暗号化キーを用いて前記音声ストリームデータを暗号化するように構成されている、項目９から１４の何れか一項の音声システム。
【０１１４】
特定の実施形態を示して説明してきたが、それらが特許請求の範囲に記載された発明を限定することを意図するものではないことが理解されるであろうし、様々な変更および修正がなされてもよいことが当業者には明らかであろう。従って、明細書および図面は限定的な意味ではなく、例示的に解釈されるべきである。特許請求の範囲に記載された発明は、代替形態、修正形態、および均等形態をカバーすることを意図している。
【符号の説明】
【０１１５】
２，２’，２’’，２’’’  音声システム
４，４’  通信ユニット
６  聴覚システム
８，８’  無線システム
１０  第１の送信機ユニット
１０’  第２の送信機ユニット
１０’’  第３の送信機ユニット
１０’’’  第４の送信機ユニット
１２  聴覚装置ＩＤと音声ストリームを示すリクエストを備えるリクエストデータ
１２Ａ  聴覚装置ＩＤの送信
１２Ｂ  音声ストリームを示すリクエスト
１４  無線システム構成データ
１６  第１の音声ストリーム
１８  近距離無線通信ユニット
２０  無線システム制御ユニット
２２  ユーザインターフェースユニット
２４  データベースユニット
２６  データベースユニットへのユーザインターフェースユニットのデータ
２８  データベースユニットへの無線システムのデータ
３０  データベースユニットへの通信ユニットのデータ
１００  音声システムを動作させる方法
１０２  リクエストデータを受信するステップ
１０４  無線システム構成データを決定するステップ
１０６  音声ストリームを送信するステップ
【図１】
2014207660.tif 000003
【図２】
2014207660.tif 000004
【図３】
2014207660.tif 000005
【図４】
2014207660.tif 000006
【図５】
2014207660.tif 000007
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
聴覚装置（６Ａ）であって前記聴覚装置のユーザの聴力損失または聴覚障害を補償するように構成されたプロセッサを備える聴覚装置（６Ａ）を備える聴覚システム（６）に無線音声ストリームを送信する音声システム（２）を動作させる方法（１００）であって、
前記音声システムが、通信ユニット（４）と、送信機ユニット（１０）を備える無線システム（８）を備えており、
前記方法は、
聴覚装置識別データと、音声トラックを示すリクエストを備える、リクエストデータを受信するステップ（１０２）と、
前記リクエストデータの少なくとも一部に基づいて、無線システム構成データを決定するステップ（１０４）と、
前記決定された無線システム構成データに従って、前記送信機ユニットによって音声ストリームを送信するステップ（１０６）を備えており、
前記聴覚システムが前記リクエストされた音声トラックを表す前記音声ストリームを受信できるようにするために、前記音声ストリームが、音声ストリームデータと、音声識別データを備えている、方法。
【請求項２】
前記リクエストデータが、暗号化キーを備えており、
前記方法がさらに、前記音声ストリームを送信する前に、前記暗号化キーを用いて前記音声ストリームデータを暗号化するステップをさらに備えている、請求項１の方法。
【請求項３】
前記リクエストデータを受信する前記ステップが、前記聴覚システムの聴覚装置から前記リクエストデータを受信するステップを備える、請求項１の方法。
【請求項４】
前記リクエストデータを受信する前記ステップが、前記聴覚システムの付属装置から前記リクエストデータを受信するステップを備えており、
前記付属装置が、携帯電話、タブレットコンピュータ、スマートフォン、聴覚装置リモコンユニット、またはカードキーを備えている、請求項１の方法。
【請求項５】
前記リクエストデータを受信する前記ステップが、２．４ＧＨｚから２．５ＧＨｚまでの任意の周波数で、８００ＭＨｚから１ＧＨｚまでの任意の周波数で、および／または１３ＭＨｚから１４ＭＨｚまでの任意の周波数で、前記リクエストデータを受信するステップを備えている、請求項１の方法。
【請求項６】
前記リクエストデータを受信する前記ステップが、前記音声システムのユーザインターフェースユニットから前記リクエストデータを受信するステップを備える、請求項１の方法。
【請求項７】
前記音声識別データが、聴覚装置ＩＤ、送信機ＩＤ、送信機グループＩＤ、音声グループＩＤ、音声タイプＩＤ、および音声プロトコルＩＤのうちの１つまたはそれ以上を備えている、請求項１の方法。
【請求項８】
前記リクエストデータに基づいて、聴覚システム構成データを決定するステップと、
前記聴覚システムが前記リクエストされた音声トラックを表す前記音声ストリームを受信できるようにするために、前記聴覚システム構成データを前記聴覚システムに送信するステップをさらに備えている、請求項１の方法。
【請求項９】
聴覚装置（６Ａ）であって前記聴覚装置のユーザの聴力損失または聴覚障害を補償するように構成されたプロセッサを備える聴覚装置（６Ａ）を備える聴覚システム（６）に無線音声ストリームを送信する音声システム（２）であって、
少なくとも第１の音声ストリームを、前記第１の音声ストリームを示す第１の音声識別データとともに送信する第１の送信機ユニット（１０）を含む、据え置き型の送信機ユニットを備える無線システム（８）と、
前記聴覚システム（６）と通信するように構成された通信ユニット（４）を備えており、
前記音声システム（２）は、
聴覚装置識別データと、音声トラックを示すリクエストを備える、リクエストデータを受信し、
前記リクエストデータの少なくとも一部に基づいて、無線システム構成データを決定し、
前記決定された無線システム構成データに従って、音声ストリームを送信するように構成されており、
前記聴覚システムが前記リクエストされた音声トラックを表す前記音声ストリームを受信できるようにするために、前記音声ストリームが、音声ストリームデータと、音声識別データを備えている、音声システム。
【請求項１０】
前記通信ユニットが、前記リクエストデータを受信する無線受信機を備えている、請求項９の音声システム。
【請求項１１】
前記通信ユニットが、前記聴覚システムの近距離無線通信タグから聴覚装置識別データを受信するように構成された近距離無線通信装置を備えている、請求項９の音声システム。
【請求項１２】
前記通信ユニットが、付属装置から前記リクエストデータを受信するように構成されている、請求項９の音声システム。
【請求項１３】
前記無線システムが、第２の音声ストリームを、前記第２の音声ストリームを示す第２の音声識別データとともに送信する第２の送信機ユニットと、前記第１の送信機ユニットおよび前記第２の送信機ユニットに接続された無線システム制御ユニットを備えており、
前記無線システム制御ユニットが、前記第１の送信機ユニットと前記第２の送信機ユニットを制御するように構成されている、請求項９の音声システム。
【請求項１４】
前記音声システムが、前記通信ユニットに接続されたユーザインターフェースユニットを備えており、
前記ユーザインターフェースが、前記音声トラックを示す前記リクエストデータを受け入れ、前記通信ユニットに前記リクエストデータを送信するように構成されている、請求項９の音声システム。
【請求項１５】
前記リクエストデータが、暗号化キーを備えており、
前記無線システムが、前記音声ストリームを送信する前に、前記暗号化キーを用いて前記音声ストリームデータを暗号化するように構成されている、請求項９の音声システム。
【外国語明細書】
2014207660000001.pdf
2014207660000002.pdf
2014207660000003.pdf
2014207660000004.pdf